(57)【要約】【課題】簡単な構造で、しかも火災の心配のない線香立てと、線香立てを設置するための、灰やガラス玉を必要としない香炉とを備えた香炉構造体を提供することである。【解決手段】板状体からなり、該板状体のほぼ中央に凹部が設けられた香炉と、前記板状体の凹部に取り外し自在に嵌めこまれる中実体からなり、該中実体に複数の線香保持部が設けられた線香立てとからなる香炉構造体であって、前記複数の線香保持部が前記板状体の凹部と連通することを特徴としている。【選択図】図１
2006087802.tif 000002
【特許請求の範囲】
【請求項１】
板状体からなり、該板状体のほぼ中央に凹部が設けられた香炉と、
前記板状体の凹部に取り外し自在に嵌めこまれる中実体からなり、該中実体に複数の線香保持部が設けられた線香立てと
からなる香炉構造体であって、
前記複数の線香保持部が前記板状体の凹部と連通する
ことを特徴とする香炉構造体。
【請求項２】
前記中実体の上部に把手が設けられてなる請求項１記載の香炉構造体。
【請求項３】
前記板状体がほぼ矩形状を呈し、当該板状体の少なくとも四隅が反りあがっている請求項１または２記載の香炉構造体。
【請求項４】
前記複数の線香保持部の径が、前記中実体の表面において拡大されて開口している請求項１、２または３記載の香炉構造体。
【請求項５】
前記凹部が断面円形状を呈し、前記中実体が略半球形状を呈している請求項１、２、３または４記載の香炉構造体。
【発明の詳細な説明】
【技術分野】
【０００１】
本発明は香炉構造体に関する。さらに詳しくは、中央に凹部が設けられた板状体からなる香炉と、該板状体の凹部に取り外し自在に設けられる中実体からなり、該中実体に複数の線香保持部が設けられた線香立てとから構成される香炉構造体に関する。
【背景技術】
【０００２】
従来、香炉は壷状の容器として知られている。香炉内部には、灰が収容されており、この灰に線香を立てているケースが一般的である。しかし灰の場合、飛散しやすく、そのうえ時間の経過とともに湿気を吸収して固まるため線香が立ちにくくなり、線香が倒れて火災を引き起こす危険性がある。
【０００３】
特許文献１には、灰の代わりに直径が５ｍｍ程度のガラス玉を線香立てとすることが開示されている。
【０００４】
また、特許文献２には、香炉の灰の中に設置する容器を線香立てとして使用することが開示されている。
【０００５】
さらに、特許文献３には、線香を真っすぐに立たせ、途中で火が消えないようにするためのガラス繊維からなるガイドと、線香を受け入れるために針金を螺旋状に巻いた燃焼筒と、高熱の燃焼筒に手が触れることを防止するためのガイドを備える線香立てが開示されている。
【０００６】
【特許文献１】実用新案登録第３０２６７９３号公報
【特許文献２】特開平１１−２９９６３３号公報
【特許文献３】特開２００１−２５２１７５号公報
【発明の開示】
【発明が解決しようとする課題】
【０００７】
特許文献１に開示されたガラス玉の場合、線香の燃えかすを洗うという手間と、洗ったあとに乾燥させる手間とを要する。
【０００８】
また、特許文献２に開示された線香立ての場合、前述のとおり、灰は時間の経過とともに湿気を吸収して固まるため、線香立てとして機能する容器を香炉の内の灰に埋め込むこみにくくなるという問題がある。
【０００９】
さらに、特許文献３に開示された線香立ての場合、線香が途中で火が消えないように最後まで燃焼させる機能を追及するために、部品点数が多く、構造がやや複雑である。このため、宗教上の儀式に使用することを考えると線香立て自体を目に触れないように、線香立てを香炉内に完全に収容して露出しないようにする必要がある。
【００１０】
本発明は、簡単な構造で、しかも火災の心配のない線香立てと、線香立てを設置するための、灰やガラス玉を必要としない香炉とを備えた香炉構造体を提供することである。
【課題を解決するための手段】
【００１１】
本発明の香炉構造体は、板状体からなり、該板状体のほぼ中央に凹部が設けられた香炉と、
前記板状体の凹部に取り外し自在に嵌めこまれる中実体からなり、該中実体に複数の線香保持部が設けられた線香立てと
からなる香炉構造体であって、
前記複数の線香保持部が前記板状体の凹部と連通する
ことを特徴としている。
【００１２】
また、前記中実体の上部に把手が設けられてなることが好ましい。
【００１３】
また、前記板状体がほぼ矩形状を呈し、当該板状体の少なくとも四隅が反りあがっていることが好ましい。
【００１４】
また、前記複数の線香保持部の径が、前記中実体の表面において拡大されて開口していることが好ましい。
【００１５】
また、前記凹部が断面円形状を呈し、前記中実体が略半球形状を呈していることが好ましい。
【発明の効果】
【００１６】
本発明の香炉構造体によれば、板状体からなり、該板状体のほぼ中央に凹部が設けられた香炉と、前記板状体の凹部に取り外し自在に嵌めこまれる中実体からなり、該中実体に複数の線香保持部が設けられた線香立てとから構成され、前記複数の線香保持部が前記板状体の凹部と連通するため、香炉内に灰やガラス玉を収容する必要がなく、部品点数がきわめて少なく、線香の燃えかすは板状体の凹部に落下し、線香の灰は板状体の上に落下するため、板状体だけを掃除すればよい。
【発明を実施するための最良の形態】
【００１７】
図１〜６を参照すると、本実施の形態の香炉構造体１は、凹部２ｂが設けられた板状体２ａから構成された香炉２と、凹部２ｂに取り外し自在に設けられた中実体３ａから構成された線香立て３とを備えている。
【００１８】
中実体３ａの素材としては、たとえば、金、銀、銅などの金属、黄銅や真鍮などの合金、鉄に金メッキを施したもののほか、ガラス、陶器またはこれらに金メッキを施したものが採用される。
【００１９】
凹部２ｂは板状体２ａのほぼ中央に設けられており、本実施の形態においては、凹部２ｂは円形状の断面形状を有している。凹部２ｂの素材としては、たとえば、ガラス、陶器、金属またはこれらを一種以上の組み合わせたものが採用される。
【００２０】
図２〜３に示されるように、中実体３ａには３つの線香保持部３ｂが同心状に設けられている。
【００２１】
本実施の形態では、３つの線香保持部３ｂが板状体２ａの凹部２ｂと連通している。線香保持部３ｂの数は、３つに限られることはなく、２つでもよく、また、たとえば図４に示されるように６つでもよい。
【００２２】
本実施の形態においては、中実体３ａの上部には円柱状の把手３ｄが中実体３ａに螺着されており、把手３ｄの上部には、３つの溝３ｄが平行に設けられている。この溝３ｄは滑り止めの機能を果たす。
【００２３】
また、本実施の形態においては、板状体２ａはほぼ矩形状を呈し（図５参照）、板状体２ａの外周２ｐが反りあがっているので（図６参照）、線香の燃えかすが香炉周辺に飛散することを防止できる。しかし、板状体２ａの外周２ｐ全体が反りあがっている必要はなく、板状体２ａの少なくとも四隅が反りあがっていればよい。
【００２４】
図３を参照すると、本実施の形態の線香保持部３ｂの径は、中実体３ａの表面付近においてテーパ状に拡大された拡径部３ｔを有しているため、径が拡大されて開口している。このように拡径部３ｔを設けることにより、線香の燃えかすを受け止めることができるという利点がある。
【００２５】
図５を参照すると、本実施の形態においては、凹部２ｂは円形状の断面を有し、中実体３ａは、図２〜４に示されるとおり、略半球形状を呈している。しかし、凹部２ｂの形状は、円形断面に限られることはなく、正方形、長方形、ひし形、楕円形、長円または多角形もしくはこれらの１種以上を組み合わせた形状であってもよい。その場合、図３に示される中実体３ａの凹部２ｂとの係合部３ｅを凹部２ｂの形状と相補的な形状（すなわち、雄雌の関係になるような形状）にすればよい。
【図面の簡単な説明】
【００２６】
【図１】本発明の香炉構造体の主要な構成を示す説明図である。
【図２】本発明の香炉構造体の中実体を示す平面説明図である。
【図３】図１の中実体の部分断面説明図である。
【図４】図１の中実体の変形例を示す平面説明図である。
【図５】本発明の香炉構造体の板状体を示す平面図である。
【図６】図５の板状体の断面説明図である。
【符号の説明】
【００２７】
１    香炉構造体
２    香炉
２ａ  板状体
２ｂ  凹部
２ｐ  外周部
３    線香立て
３ａ  中実体
３ｂ  線香保持部
３ｃ  把手
３ｄ  溝
３ｅ  係合部
３ｔ  拡径部
【図１】
2006087802.tif 000003
【図２】
2006087802.tif 000004
【図３】
2006087802.tif 000005
【図４】
2006087802.tif 000006
【図５】
2006087802.tif 000007
【図６】
2006087802.tif 000008